(57)【要約】【課題】  ベルト状の指輪・腕輪・ブレスレット等のベルトリングが装着される装着部（指や、腕）のサイズに応じてバンドの長さを微調整可能で、粒状宝石などの貴金属装飾品を取り付ける場所を広く確保できるベルトリング。【解決手段】  糸通し孔を有する複数の微小な宝玉又は貴金属を前記糸通し孔に糸を通して編んでなるバンド、貴金属製の複数の微小な鎖からなる鎖状バンド、又は、貴金属製の複数の微小リングからなるバンドのいずれかからなるベルトリングであって、指や腕などの装着部に装着された際に当該装着部を巻いてきたバンドの先端側に近い側の中間部分を保持するバンド保持具が当該バンドの基端側に備えられていると共に、当該バンド保持具で保持された先に延びるバンドの先端側に、バンドの基端側に近い側の中間部分への係止手段が備えられており、前記バンド保持具は、前記装着部に装着された際に表面側になる部分に複数の粒状宝石を備えているベルトリング。
2005016052.tif 000002
【特許請求の範囲】
【請求項１】
糸通し孔を有する複数の微小な宝玉又は貴金属を前記糸通し孔に糸を通して編んでなるバンド、貴金属製の複数の微小な鎖からなる鎖状バンド、又は、貴金属製の複数の微小リングからなるバンドのいずれかからなるベルトリングであって、装着部に装着された際に当該装着部を巻いてきたバンドの先端側に近い側の中間部分を保持するバンド保持具が当該バンドの基端側に備えられていると共に、当該バンド保持具で保持された先に延びるバンドの先端側に、バンドの基端側に近い側の中間部分への係止手段が備えられており、前記バンド保持具は、前記装着部に装着された際に表面側になる部分に複数の粒状宝石を備えていることを特徴とするベルトリング。
【請求項２】
バンド保持具はバンドの基端側に基端側が取り付けられている枠体と止片とを備えており、当該止片は、当該枠体の基端側に基端側が回動自在に取り付けられていて、先端側が、当該ベルトリングが装着部に装着された際に当該装着部を巻いてきて前記枠体内を挿通してきたバンドの先端側に近い側の中間部分に指突されることを特徴とする請求項１記載のベルトリング。
【請求項３】
枠体の先端側の表面に複数の粒状宝石が装着されていることを特徴とする請求項２記載のベルトリング。
【請求項４】
バンド保持具はバンドの基端側に一側縁が取り付けられている板体と宝石台板とからなり、前記宝石台板は、前記板体の前記一側縁に直交する辺に基端側が回動自在に取り付けられていて、先端側に前記板体の前記一側縁に直交する他方の辺に係止される係止部を備え、表面に複数の粒状宝石が装着されていることを特徴とする請求項１記載のベルトリング。
【請求項５】
宝石台板は粒状宝石が装着されている表面側が文字の形に形成されていることを特徴とする請求項４記載のベルトリング。
【請求項６】
宝石台板は粒状宝石が装着されている表面側が動物の形に形成されていることを特徴とする請求項４記載のベルトリング。
【請求項７】
宝石台板は粒状宝石が装着されている表面側がハートの形に形成されていることを特徴とする請求項４記載のベルトリング。
【請求項８】
宝石台板は粒状宝石が装着されている表面側が、中央が開口している矩形に形成されていることを特徴とする請求項４記載のベルトリング。
【請求項９】
バンドの先端側に備えられている係止手段は、バンドの先端に連結されている留金と係止部とからなり、前記係止部は、前記留金から延びていて、ベルトリングが装着部に装着された際に前記バンド保持具で保持された先に延びるバンド先端側の背面側に位置するバンドの基端側に近い側の中間部分に係止されることを特徴とする請求項１記載のベルトリング。
【請求項１０】
留金は、装着部に装着された際に表面側になる部分に複数の粒状宝石を備えていることを特徴とする請求項９記載のベルトリング。
【発明の詳細な説明】
【技術分野】
【０００１】  この発明は、ベルト状の指輪、ベルト状の腕輪、ベルト状のブレスレット等のベルトリングに関し、特に、宝玉、貴金属を利用したベルトリングに関する。
【背景技術】
【０００２】  指輪、腕輪、ブレスレット等のリングは、一般に、指や、腕など、これらが装着される装着部のサイズに合わせて作成される。【０００３】  例えば、指輪は通常、使用者の指のサイズに合わせて作成される。そこで、指のサイズが違うと使用できなくなる。このため、使用者は購買の都度寸法合わせをして、サイズを修正しなければならない。【０００４】  この点、ベルト状の指輪、ベルト状の腕輪、ベルト状のブレスレット等のベルトリングは、これらが装着される装着部（例えば、指や、腕など）に巻かれるバンドの長さをバックル等のバンド保持具によって調整できる。【０００５】  例えば、ベルトリングがベルト状の指輪である場合、指に巻かれるバンドの長さをバックル等のバンド保持具によって調整できる。そこで、サイズ合わせのための修正は一切不要になり、他人への贈り物にする場合においても、サイズを気にする必要がないという利点がある。【０００６】  ベルト状の指輪であるベルトリングとして、基端側にバックルが取り付けられていて、適当な箇所に孔が設けられているバンドからなるものが知られている（日本国  実用新案登録出願  出願公開番号  昭６０−９１０１７）。このベルトリングでは、ベルトリングを指に装着した際に、指を巻いてきたバンドの先端側をバックルの枠体内に挿通させる。そして、バックルの係止片を前記バンドの孔に挿入し、バンドの中間部を当該バックルにて保持していた。ここで、バックルの枠にはプラチナ台に粒宝石を固着したものが使用されていた。【０００７】  この従来のベルト状の指輪としてのベルトリングでは、バンドの適当な箇所に設けられている孔の間隔がバンドの長さの調整に用いられるので、孔を比較的近接して開けなければならなかった。また、バンドが指のサイズに比較して長い場合には、バンドの先端側が自由になって、他物に引っ掛かりやすくなったり、指から離れて邪魔になるおそれがあった。【０００８】  また、粒宝石を取り付ける場所が限定されると共に、狭くなるおそれもあった。
【発明の開示】
【発明が解決しようとする課題】
【０００９】  この発明は、ベルト状の指輪、ベルト状の腕輪、ベルト状のブレスレット等のベルトリングが装着される装着部（例えば、指や、腕）のサイズに応じてバンドの長さを微調整することが可能であり、指や、腕などの装着部のサイズに比較してバンドが長い場合であっても、バンドの先端側が自由になるおそれのないベルトリングを提供することを目的としている。【００１０】  更に、前記のようなベルトリングであって、なおかつ、粒状宝石などの貴金属装飾品を取り付ける場所を広く確保できるベルトリングを提供することを目的としている。
【課題を解決するための手段】
【００１１】  前記課題を解決するため、この発明は以下のベルトリングを提案する。【００１２】  この発明のベルトリングは、糸通し孔を有する複数の微小な宝玉又は貴金属を前記糸通し孔に糸を通して編んでなるバンド、貴金属製の複数の微小な鎖からなる鎖状バンド、又は、貴金属製の複数の微小リングからなるバンドのいずれかからなるものである。【００１３】  前記において、宝玉には天然の宝石の他、人造宝石が含まれる。また、貴金属には、金、銀、プラチナ、ホワイトゴールドなどが含まれる。貴金属製の複数の微小な鎖からなる鎖状バンドは、内径１ｍｍ程度の微小な鎖同士を連結したり、糸を用いて前記のような微小な鎖を編んで作ることができる。また、貴金属製の複数の微小リングからなるバンドは、内径１ｍｍ程度の微小リング同士を連結したり、糸を用いて前記のような微小リングを編んで作ることができる。【００１４】  この発明のベルトリングにおいては、指や腕などの装着部に装着された際に当該装着部を巻いてきたバンドの先端側に近い側の中間部分を保持するバンド保持具が当該バンドの基端側に備えられている。【００１５】  また、当該バンド保持具で保持された先に延びるバンドの先端側に、バンドの基端側に近い側の中間部分への係止手段が備えられている。【００１６】  そして、前記バンド保持具は、指や腕などの装着部に装着された際に表面側になる部分に複数の粒状宝石を備えている。【００１７】  前述したこの発明のベルトリングにおいて、バンド保持具は、バンドの基端側に基端側が取り付けられている枠体と止片とで構成できる。ここで、止片は、前記枠体の基端側に基端側が回動自在に取り付けられていて、先端側が、ベルトリングが指や腕などの装着部に装着された際に当該装着部を巻いてきて前記枠体内を挿通してきたバンドの先端側に近い側の中間部分に指突されるものである。いわゆるバックル様のバンド保持具である。【００１８】  この場合、前記バンド保持具の枠体の先端側の表面に複数の粒状宝石を装着できる。また、前記バンド保持具は貴金属製にすることができる。【００１９】  なお、前述したこの発明のベルトリングにおいて、バンド保持具は、バンドの基端側に一側縁が取り付けられている板体と宝石台板とで構成することもできる。ここで、前記宝石台板は、前記板体の前記一側縁に直交する辺に基端側が回動自在に取り付けられていて、先端側に前記板体の前記一側縁に直交する他方の辺に係止される係止部を備えているものである。【００２０】  この場合、前記宝石台板は、表面に複数の粒状宝石を装着できる。また、前記宝石台板は貴金属製にすることができる。【００２１】  ここで、宝石台板は、粒状宝石が装着されている表面側を文字の形、動物の形、ハートの形、中央が開口している矩形のいずれかにすることができる。【００２２】  更に、前述した本発明のベルトリングにおいて、バンドの先端側に備えられている係止手段は、バンドの先端に連結されている留金と係止部とで構成できる。ここで、前記係止部は、前記留金から延びていて、指や腕などの装着部に装着された際に前記バンド保持具で保持された先に延びるバンド先端側の背面側に位置するバンドの基端側に近い側の中間部分に係止されるものである。【００２３】  この場合、留金は、指や腕などの装着部に装着された際に表面側になる部分に複数の粒状宝石を備えているようにできる。また、留金は、貴金属製にすることができる。【００２４】  この発明のベルトリングは、糸通し孔を有する複数の微小な宝玉又は貴金属を前記糸通し孔に糸を通して編んでなるバンド、貴金属製の複数の微小な鎖からなる鎖状バンド、又は、貴金属製の複数の微小リングからなるバンドのいずれかからなる。【００２５】  そこで、バンドの先端側に備えられている係止手段の係止部や、バックル様のバンド保持具の止片は、隣接する微小な宝玉又は貴金属同士の間、微小な鎖の開口部や隣接する微小な鎖同士の間、微小リングの開口部や隣接する微小リング同士の間に挿入できる。そこで、指や腕などの装着部に巻かれるバンドの長さの微調整が可能になり、バンドの長さの調節精度を向上できる。【００２６】  また、前記のようにバンドの先端側に備えられている係止手段の係止部や、バックル様のバンド保持具の止片が挿入される係止孔が近接して配備されることになるだけでなく、本発明のベルトリングは、屈曲の柔軟性があるものとなる。そこで、指や腕などの装着部になじみ易くなる。【００２７】  更に、バンドの先端側、すなわち、ベルトリングが指や腕などの装着部に装着された際にバンド保持具で保持された先に延びるバンドの先端側に、バンドの基端側に近い側の中間部分への係止手段が備えられているので、バンドが指や腕などの装着部のサイズに比較して長い場合であっても、バンドの先端側が自由になるおそれがない。この係止手段は、板体と宝石台板とからなるバンド保持具のみが採用されている場合には、指や腕などの装着部に巻かれるバンドの長さの微調整を行う役割も果たす。【００２８】  また、この発明のベルトリングによれば、バックル様のバンド保持具、板体と宝石台板とからなるバンド保持具のいずれにした場合であっても、粒状宝石を固定する場所を比較的広くとることができる。バンドの先端側に備えられている係止手段の表面側にも粒状宝石を固着すれば、粒状宝石を固定する場所を更に広くとることができる。
【発明の効果】
【００２９】  この発明のベルトリングによれば、ベルト状の指輪、ベルト状の腕輪、ベルト状のブレスレット等のベルトリングが装着される装着部（例えば、指や、腕）のサイズに応じてバンドの長さを微調整することが可能になり、バンドの長さの調節精度を向上できる。【００３０】  また、本発明のベルトリングによれば、指や、腕などの装着部のサイズに比較してバンドが長い場合であっても、バンドの先端側が自由になるおそれがなくなる。【００３１】  更に、本発明のベルトリングは、屈曲の柔軟性があるものとなり、指や腕などの装着部になじみ易くなる。【００３２】  また、この発明のベルトリングによれば、バックル様のバンド保持具、板体と宝石台板とからなるバンド保持具のいずれにした場合であっても、粒状宝石等の貴金属装飾品を固定する場所を比較的広くとることができる。また、バンドの先端側に備えられている係止手段の表面側にも粒状宝石を固着すれば、粒状宝石等の貴金属装飾品を固定する場所を更に広くとることができる。
【発明を実施するための最良の形態】
【００３３】  以下、添付図面を参照して、この発明のベルトリングがベルト状の指輪の形態として実施されている場合について説明する。
【実施例１】
【００３４】  この実施例のベルトリング１０は、糸通し孔を有する直径０．５ｍｍの複数個のホワイトゴールド粒１、１を糸２、２で編んで形成したバンド５からなるものである。【００３５】  糸２には、例えば、金糸、銀糸を使用することができる。【００３６】  バンド５を編成する際には、例えば、まず、複数のホワイトゴールド粒１、１を糸２で長手方向（図１中、左右方向）に直列に連結した粒条３を複数本準備する。図１の実施例では４本準備した。次いで、これらを横手方向（図１中、上下方向）に並列させ、横手方向に、同じく、糸２でつないで編み上げることができる。【００３７】  バンド５の基端側（図１中、右側）にはバンド保持具が、バンド５の先端側（図１中、左側）にはバンドへの係止手段が備えられている。【００３８】  バンド保持具は、ベルトリング１０が指に装着された際に指を巻いてきたバンド５の先端側に近い側の中間部分を保持するものである。【００３９】  バンド５への係止手段は、前記のようにバンド保持具で保持された先に延びるバンド５の先端側（図４中、上側のバンド５）を、当該バンド先端側の背面側に位置することになるバンド５（図４中、上側のバンド５）の基端側（図４中、左側）に近い側の中間部分へ係止するものである。【００４０】  図１図示の実施形態では、バンド保持具は、次のように構成されている。【００４１】  バンド５の基端には板体の一側縁が回動自在に取り付けられている。図１の実施例では板体たる取付片９の一側縁、すなわち、図１中、左側の辺が取り付けられている。【００４２】  この取付片９の前記左側の辺に直交する辺（図１では上側の辺）には、宝石台板１１の基端側が回動自在に取り付けられている。宝石台板１１の先端側には係止部１１ａが備えられている。【００４３】  図３に矢印１００で示すように宝石台板１１が回転した際に、宝石台板１１の先端側の係止部１１ａと、取付片９の図１中、下側の辺に備えられている係止部９ｂとが係合する。【００４４】  そして、図２図示のように、ベルトリング１０が指に装着された際に指を巻いてきたバンド５の先端側に近い側の中間部分が、取付片９と宝石台板１１とによって挟着保持される。【００４５】  取付片９の図１中右側の端部９ａには、枠体（図１の実施形態ではバックル枠６）の基部片６ａが回動自在に取り付けられている。バックル枠６の基部片６ａには、止片（図１の実施形態では係止杆７）の基端側が回動自在に取り付けられている。【００４６】  係止杆７の先端は、図２図示のように、ベルトリング１０が指に装着された際に指を巻いてきたバンド５の先端側に近い側の中間部分に指突される。【００４７】  こうして、図２図示のように、ベルトリング１０が指に装着された際に指を巻いてきたバンド５の先端側に近い側の中間部分は、取付片９と宝石台板１１とによって挟着保持され、また、係止杆７の先端が指突されて保持される。【００４８】  ベルトリング１０が指に装着された際に表面側になるバンド保持具の部分（図１、図２の実施例では、バックル枠６の表面側、宝石台板１１の表面側）には、複数の粒状宝石８が配備されている。【００４９】  バックル枠６、係止杆７、取付片９、宝石台板１１などは、プラチナ等の貴金属���とすることができる。【００５０】  図１図示の実施形態では、バンド５への係止手段は、バンド５の先端に連結されている留金１２と、留金１２から延びている係止部１２ａとからで形成されている。留金１２、係止部１２ａもプラチナ等の貴金属製とすることができる。【００５１】  留金１２は図１中、右端側部分１２ｂ、１２ｂが回動自在にバンド５の図１中、左端に取りつけられている。係止部１２ａは、ベルトリング１０が指に装着された際に前記のバンド保持具で保持された先に延びるバンド５（図４中、上側のバンド５）の先端側の背面側に位置するバンド５（図４中、下側のバンド５）の基端側（図４中、左側）に近い側の中間部分に係止される。【００５２】  即ち、図４図示のように、係止部１２ａが、バンド５のホワイトゴールド粒１、１と糸２との間の隙間に挿入されて係止される。【００５３】  図１のように展開されているこの実施例のベルトリング１０を指に取り付けるには、次のように行う。まず、バンド５を指に巻きつけていき、基端側のバックル枠６内に、指を巻いてきたバンド５の先端側の留金１２を通す。指のサイズに合わせた長さにしたところで、係止杆７の先端をバンド５のホワイトゴールド粒１、１と糸２との間の隙間に指突する。続いて、取付片９と宝石台板１１とによって、図３図示のように、バンド５を挟着保持する。そして、先端側が、図４図示のように、バンド５の基端側に近い側の中間部分に係止され、図２図示の状態で指に取り付けられる。【００５４】  この際、バンド５の長さは、係止杆７の先端をバンド５に指突する位置を調節することで任意に調節可能である。また、先端側は、係止部１２ａがバンド５に係止されて安定的に保持されるので、先端が他のものに接触したり、引っかかるおそれはなくなる。【００５５】  また、図２図示のように、バックル枠６の表面側、宝石台板１１の表面側に複数の粒状宝石８が配備されているので、指に装着された際のベルトリング１０の表面側のほぼ全域にホワイトゴールド、粒状宝石などの貴金属、宝玉が存在することになる。【００５６】  なお、図１〜図４図示の実施形態では、バンド５の先端に連結されている留金１２の表面（図４中、上側）には粒状宝石を配備していないが、ここへも粒状宝石を配置することができる。【００５７】  以上説明した図１〜図４図示の実施形態では、バンド５の基端側（図１中、右側）に備えられていて、ベルトリング１０が指に装着された際に指を巻いてきたバンド５の先端側に近い側の中間部分を保持するバンド保持具として二種類が配備されていた。一つは、バンド５を挟着保持する、取付片９と宝石台板１１とからなるバンド保持具である。もう一つは、バックル様のバンド保持具である。すなわち、バンドの基端側に取り付けられているバックル枠６と、基端側がバックル枠６の基端側に回動自在に取り付けられていて先端側がバックル枠６内を挿通してきたバンド５に指突される係止杆７とからなるバンド保持具である。【００５８】  この中のどちらか一方の形態のバンド保持具のみが備えられているベルトリングとすることが可能である。【００５９】  どちらか一方の形態のバンド保持具しか備えられていない場合であっても、指に巻きつけられるバンド��の長さを、指のサイズに合わせて微調整することができる。【００６０】  なお、バンド５を挟着保持する、取付片９と宝石台板１１とからなるバンド保持具の場合も、最終的に、バンド５の先端に配備されている係止手段の係止部１２ａをバンド５に係止する位置を微調整することにより、指に巻きつけられるバンド５の長さを指のサイズに合わせて微調整できる。【００６１】  また、図１〜図４図示の実施形態では、糸通し穴が設けられているホワイトゴールド粒を糸２で編んでバンド５としたが、ホワイトゴールド粒に代えて、糸通し穴が設けられているプラチナ粒を用いることも可能である。【００６２】  更に、貴金属製の複数の微小な鎖からなる鎖状バンド、又は、貴金属製の複数の微小リングを糸で編んでなるバンドによって、バンド５を準備することも可能である。【００６３】  いずれにせよ、糸通し穴が設けられている微小な宝玉、貴金属、微小な貴金属製鎖、微小な貴金属製リングを用いてバンド５を準備することにより、係止杆７をバンド５に指突する位置、係止部１２ａをバンド５に係止する位置を微調整できる。そこで、指に装着する際のバンド５の長さを任意に調整できる。
【実施例２】
【００６４】  図５〜図９の実施例が図１〜図４の実施例と異なるところは以下の３点である。第一は、バックル枠６と係止杆７とからなるバックル様のバンド保持具が採用されていない点。第二は、バンド５を挟着保持する取付片と宝石台板とからなるバンド保持具において、粒状宝石が装着されている表面側が文字の形（ローマ文字のＭ）に形成されている点。第三は留金１２に備えられている係止部の形態が異なっている点である。その他の形態は同一であるので、共通する部材には共通する符号をつけてその説明を省略する。【００６５】  バンド５を準備するための糸通し孔を有する微小な宝玉又は貴金属として金粒１と、金糸２とを用いた。【００６６】  バンド５の基端（図５中右側）に板体１８の一側縁が回動自在に取り付けられている。【００６７】  板体１８の前記一側縁に直交する辺（図５では下側の辺）には、宝石台板２１の基端側が回動自在に取り付けられている。宝石台板２１の先端側には係止部１３、１３が備えられている。【００６８】  宝石台板２１は、図６に示すように、粒状宝石２３が装着されている表面側が文字の形（ローマ文字のＭ）に形成されている。【００６９】  図７に矢印１０１で示すように宝石台板２１が回転した際に、宝石台板２１の先端側の係止部１３、１３が、板体１８の図５中上側の辺（図７中左側の辺）に係合する。【００７０】  こうして、図６図示のように、指を巻いてきたバンド５を指のサイズに合わせた長さにしたところで、板体１８と宝石台板２１とによって、バンド５を挟着保持する。【００７１】  図５〜図９の実施形態では、バンド５への係止手段は、図１〜図４の実施形態と同様の形態の留金１２と、留金１２から延びている係止部１２ｃとからで形成されている。係止部１２ｃは、図１〜図４の実施形態における係止部１２ａとは異なっている。【００７２】  係止部１２ｃは、ベルトリング１０が指に装着された際に前記の板体１８と宝石台板２１とでなるバンド保持具で保持された先に延びるバンド５の先端側の背面側に位置するバンド５の基端側に近い側の中間部分に、図９図示のように、側面から係止される。【００７３】  ベルトリング２０が指に装着された際に指を巻いてきたバンド５の先端側に近い側の中間部分を板体１８と宝石台板２１とでなるバンド保持具によって保持することにより、指に巻きつけられるバンド５の長さを指のサイズに合わせて任意に調節できる。【００７４】  また、先端側は、係止部１２ｃがバンド５に係止されて安定的に保持されるので、先端が他のものに接触したり、引っかかるおそれはなくなる。【００７５】  この実施例の指輪は、板体１８と宝石台板２１とによって、ベルトリング２０が指に装着された際に指を巻いてきたバンド５の先端側に近い側の中間部分を挟着保持するので、取り付け、取り外しが簡単である
また、この実施例の指輪は、押宝石台板２１を文字で形成するので、この文字を使用者のイニシャルなどと一致させて、指輪の使用者を特定することができる。
【実施例３】
【００７６】  図１０〜図１２のベルトリング３５が図５〜図９の実施例と異なるところは以下の２点である。第一は、バンド２５が基金属製の複数の微小リング２４を糸２６で編んでなるものである点。第二は、バンド２５を挟着保持する取付片と宝石台板とからなるバンド保持具において、粒状宝石が装着されている表面側が楕円形に形成されている点である。その他の形態は同一であるので、共通する部材には共通する符号をつけてその説明を省略する。【００７７】  内径１ｍｍの金製のリング２４を金糸２６で直列に連結したリング条２７、２７を並列し、横も連結してバンド２５を構成した。【００７８】  バンド２５の基端（図１０中左側）には楕円状の板体２８の一側縁が回動自在に取り付けられている。【００７９】  この板体２８の前記一側縁に直交する辺（図１０では上側の辺）には、楕円状の宝石台板３０の基端側が回動自在に取り付けられている。宝石台板３０の先端側の裏面には、図１２図示のように、板体２８の係止部２８ａに係合する係止部３１が備えられている。【００８０】  宝石台板３０の表面側には図１１、図１２に示すように、複数の粒状宝石２９が装着されている。【００８１】  ベルトリング３５が指に装着された際に指を巻いてきたバンド２５の先端側に近い側の中間部分が、板体２８と宝石台板３０とによって挟着保持される。
【実施例４】
【００８２】  図１３〜図１４の実施形態が図５〜図９図示の実施形態と異なっているのは、ベルトリングが指に装着された際に指を巻いてきたバンドの先端側に近い側の中間部分を保持するバンド保持具の形態だけである。他の形態は同一であるので、共通する部材には共通する符号をつけてその説明を省略する。【００８３】  バンド５の基端（図１３中右）には楕円状の宝石台板３６の一側縁が回動自在に取り付けられている。宝石台板３６の表面側には、図１４図示のように、複数の粒状宝石４１が装着されている。【００８４】  宝石台板３６の裏面側においては、図１３図示のように、前記一側縁に直交する辺（図１３では上側の辺）に、保持板３７の基端側が回動自在に取り付けられている。そして、宝石台板３６の裏面の図１３中下側には、保持板３７の先端側の係止部３８が係合する係止部３６ａが備えられている。【００８５】  ベルトリング４０が指に装着された際に指を巻いてきたバンド５の先端側に近い側の中間部分が、宝石台板３６の裏面と保持板３７とによって挟着保持される。
【実施例５】
【００８６】  図１５〜図１７の実施形態が図５〜図９図示の実施形態と異なっているのは、ベルトリングが指に装着された際に指を巻いてきたバンドの先端側に近い側の中間部分を保持するバンド保持具の形態だけである。他の形態は同一であるので、共通する部材には共通する符号をつけてその説明を省略する。【００８７】  バンド５の基端（図１５中右）には表面が熊の形状に形成されている宝石台板４２の一側縁が回動自在に取り付けられている。宝石台板４２の表面側には、図１６図示のように、複数の粒状宝石４６が装着されている。【００８８】  宝石台板４２の裏面側においては、図１５図示のように、前記一側縁に直交する辺（図１５では上側の辺）に、保持板４３の基端側が回動自在に取り付けられている。そして、宝石台板４２の裏面の図１５中下側には、保持板４３の先端側の係止部４４が係合する係止部４２ａが備えられている。【００８９】  ベルトリング４５が指に装着された際に指を巻いてきたバンド５の先端側に近い側の中間部分が、宝石台板４２の裏面と保持板４３とによって挟着保持される。
【実施例６】
【００９０】  図１８〜図２０の実施形態が図５〜図９図示の実施形態と異なっているのは、ベルトリングが指に装着された際に指を巻いてきたバンドの先端側に近い側の中間部分を保持するバンド保持具の形態だけである。他の形態は同一であるので、共通する部材には共通する符号をつけてその説明を省略する。【００９１】  バンド５の基端（図５中右側）に板体４７の一側縁が回動自在に取り付けられている。【００９２】  板体４７の前記一側縁に直交する辺（図１８では上側の辺）には、宝石台板４８、４８の基端側が回動自在に取り付けられている。宝石台板４８の先端側には、図２０図示のように、板体４７の下側の辺に形成されている係止部５２、５２と係合する係止部４９、４９が備えられている。【００９３】  宝石台板４８、４８は、図１９に示すように、粒状宝石５１が装着されている表面側が文字の形（ローマ文字のＸ）に形成されている。【００９４】  指を巻いてきたバンド５を指のサイズに合わせた長さにしたところで、板体４７と宝石台板４８、４８とによって、バンド５を挟着保持する。【００９５】  図１８〜図２０の実施形態では、バンド５への係止手段は、図１〜図４の実施形態と同様の形態の留金１２と、留金１２から延びている係止部１２ａとからで形成されている。
【実施例７】
【００９６】  図２１〜図２３の実施形態が図５〜図９図示の実施形態と異なっているのは、ベルトリングが指に装着された際に指を巻いてきたバンドの先端側に近い側の中間部分を保持するバンド保持具の形態だけである。他の形態は同一であるので、共通する部材には共通する符号をつけてその説明を省略する。【００９７】  バンド５の基端（図２１中右側）には表面が花の形状に形成されている宝石台板５３の一側縁が回動自在に取り付けられている。宝石台板５３の表面側には、図２１図示のように、複数の粒状宝石５７が装着されている。【００９８】  宝石台板５３の裏面側においては、図２２図示のように、前記一側縁に直交する辺（図２２では上側の辺）に、保持板５４の基端側が回動自在に取り付けられている。そして、宝石台板５３の裏面の図２２中下側には、保持板５４の先端側の係止部５６が係合する係止部５３ａが備えられている。【００９９】  ベルトリング５が指に装着された際に指を巻いてきたバンド５の先端側に近い側の中間部分が、宝石台板５３の裏面と保持板５４とによって挟着保持される。
【実施例８】
【０１００】  図２４〜図２６の実施形態が図５〜図９図示の実施形態と異なっているのは、ベルトリングが指に装着された際に指を巻いてきたバンドの先端側に近い側の中間部分を保持するバンド保持具の形態だけである。他の形態は同一であるので、共通する部材には共通する符号をつけてその説明を省略する。【０１０１】  バンド５の基端（図２１中右側）には表面がハート形に形成されている宝石台板５９の一側縁が回動自在に取り付けられている。宝石台板５９の表面側には、図２４図示のように、複数の粒状宝石６１が装着されている。【０１０２】  宝石台板５９の裏面側においては、図２５図示のように、前記一側縁に直交する辺（図２５では下側の辺）に、保持板６２の基端側が回動自在に取り付けられている。そして、宝石台板５９の裏面の図２５中上側には、保持板６２の先端側の係止部６３が係合する係止部６４が備えられている。【０１０３】  ベルトリング５が指に装着された際に指を巻いてきたバンド５の先端側に近い側の中間部分が、宝石台板５９の裏面と保持板６２とによって挟着保持される。
【実施例９】
【０１０４】  図２７〜図２９の実施形態が図５〜図９図示の実施形態と異なっているのは、ベルトリングが指に装着された際に指を巻いてきたバンドの先端側に近い側の中間部分を保持するバンド保持具の形態だけである。他の形態は同一であるので、共通する部材には共通する符号をつけてその説明を省略する。【０１０５】  バンド５の基端（図２７中右側）には板体６６の一側縁が回動自在に取り付けられている。板体６６の前記一側縁に直交する辺（図２７では上側の辺）に、宝石台板６８の基端側が回動自在に取り付けられている。そして、宝石台板５９先端側には、板体６６の図２７中下側に設けられている係止部６９に係合する係止部６８ａが備えられている。【０１０６】  宝石台板６８は、図２８図示のように、表面が矩形に形成されていて、中央が開口している。そして、開口を囲む四辺の表面側には、複数の粒状宝石６７が装着されている。【０１０７】  ベルトリング５が指に装着された際に指を巻いてきたバンド５の先端側に近い側の中間部分が、宝石台板６８と板体６６とによって挟着保持される。【０１０８】  以上、本発明の好ましい実施形態を添付図面を参照して説明したが、本発明はかかる実施形態に限定されるものではなく、添付した特許請求の範囲の記載から把握される技術的範囲において種々の形態に変更可能である。【０１０９】  例えば、前述した実施例では、この発明のベルトリングがベルト状の指輪として実施されている場合について説明したが、サイズ、大きさなどを変更することにより、ベルト状の腕輪、ベルト状のブレスレット等のベルトリングとして実施することが可能である。【０１１０】  いずれにしても、ベルトリングが装着される装着部（例えば、指や、腕）のサイズに応じてバンドの長さを微調整することが可能で、バンドの長さの調節精度を向上できる。【０１１１】  そして、指や、腕などの装着部のサイズに比較してバンドが長い場合であっても、バンドの先端側が自由になるおそれがなく、自由になったバンドの先端が他のものに引っ掛かる等々の不都合が生じなくなる。【０１１２】  また、バックル様のバンド保持具、板体と宝石台板とからなるバンド保持具のいずれにした場合であっても、粒状宝石などの貴金属装飾品を固定する場所を比較的広くとることができる。また、バンドの先端側に備えられている係止手段の表面側にも粒状宝石などの貴金属装飾品を固着すれば、粒状宝石を固定する場所を更に広くとることができる。
【図面の簡単な説明】
【０１１３】［図１］本発明のベルトリングが展開されている状態の表面側から見た中間部を省略した平面図。
［図２］図１図示のベルトリングを装着部（指）に装着した状態を説明する斜視図。
［図３］図１図示のベルトリングにおける取付片と宝石台板とからなるバンド保持具でバンドを挟着保持する状態を説明する断面図。
［図４］図１図示のベルトリングにおけるバンドへの係止手段によってバンド先端側が係止される状態を説明する側面図。
［図５］本発明の他のベルトリングが展開されている状態の表面側から見た中間部を省略した平面図。
［図６］図５図示のベルトリングを装着部（指）に装着した状態を説明する斜視図。
［図７］図５図示のベルトリングにおける板体と宝石台板とからなるバンド保持具でバンドを挟着保持する状態を説明する断面図。
［図８］図７に図示されているバンド保持具の側面図。
［図９］図５図示のベルトリングにおけるバンドへの係止手段によってバンド先端側が係止される状態を説明する断面図。
［図１０］本発明の他のベルトリングが展開されている状態の表面側から見た中間部を省略した平面図。
［図１１］図１０図示のベルトリングのバンド保持具が閉鎖された状態を表す平面図。
［図１２］図１０図示のベルトリングにおける板体と宝石台板とからなるバンド保持具が閉鎖された状態を説明する断面図。
［図１３］本発明の他のベルトリングが展開されている状態の表面側から見た中間部を省略した平面図。
［図１４］図１３図示のベルトリングのバンド保持具が閉鎖された状態を表す平面図。
［図１５］本発明の他のベルトリングが展開されている状態の表面側から見た中間部を省略した平面図。
［図１６］図１５図示のベルトリングのバンド保持具が閉鎖された状態を表す平面図。
［図１７］図１５図示のベルトリングにおける板体と宝石台板とからなるバンド保持具が閉鎖された状態を説明する断面図。
［図１８］本発明の他のベルトリングが展開されている状態の表面側から見た中間部を省略した平面図。
［図１９］図１８図示のベルトリングのバンド保持具が閉鎖された状態を表す平面図。
［図２０］図１８図示のベルトリングにおける板体と宝石台板とからなるバンド保持具が閉鎖された状態を説明する断面図。
［図２１］本発明の他のベルトリングが展開されている状態の表面側から見た中間部を省略した平面図。
［図２２］図２１図示のベルトリングにおけるバンド保持具の背面側を表す図。
［図２３］図２１図示のベルトリングにおける板体と宝石台板とからなるバンド保持具が閉鎖された状態を説明する断面図。
［図２４］本発明の他のベルトリングが展開されている状態の表面側から見た中間部を省略した平面図。
［図２５］図２４図示のベルトリングにおけるバンド保持具の背面側を表す図。
［図２６］図２４図示のベルトリングにおける板体と宝石台板とからなるバンド保持具が閉鎖された状態を説明する断面図。
［図２７］本発明の他のベルトリングが展開されている状態の表面側から見た中間部を省略した平面図。
［図２８］図２７図示のベルトリングのバンド保持具が閉鎖された状態を表す平面図。
［図２９］図２７図示のベルトリングにおける板体と宝石台板とからなるバンド保持具が閉鎖された状態を説明する断面図。
【符号の説明】
【０１１４】  １  ホワイトゴールド粒
２  糸
３  粒条
５、２５  バンド
６  バックル枠
７  係止杆
８  粒状宝石
９  取付片
１０、２０、３５  ベルトリング
１１、２７、３０、３６  宝石台板
１２  留金
１３  係止部
１８、２８  板体
【図１】
2005016052.tif 000003
【図２】
2005016052.tif 000004
【図３】
2005016052.tif 000005
【図４】
2005016052.tif 000006
【図５】
2005016052.tif 000007
【図６】
2005016052.tif 000008
【図７】
2005016052.tif 000009
【図８】
2005016052.tif 000010
【図９】
2005016052.tif 000011
【図１０】
2005016052.tif 000012
【図１１】
2005016052.tif 000013
【図１２】
2005016052.tif 000014
【図１３】
2005016052.tif 000015
【図１４】
2005016052.tif 000016
【図１５】
2005016052.tif 000017
【図１６】
2005016052.tif 000018
【図１７】
2005016052.tif 000019
【図１８】
2005016052.tif 000020
【図１９】
2005016052.tif 000021
【図２０】
2005016052.tif 000022
【図２１】
2005016052.tif 000023
【図２２】
2005016052.tif 000024
【図２３】
2005016052.tif 000025
【図２４】
2005016052.tif 000026
【図２５】
2005016052.tif 000027
【図２６】
2005016052.tif 000028
【図２７】
2005016052.tif 000029
【図２８】
2005016052.tif 000030
【図２９】
2005016052.tif 000031
【国際調査報告】
2005016052.tif 000032
2005016052.tif 000033
2005016052.tif 000034
2005016052.tif 000035